【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
(Ａ)粉末形態で導入される少なくとも１つの脂肪酸ジアミド：該粉末は該ジアミドに加えて水素化ヒマシ油を所望により含有することができる；
(Ｂ)室温で液体である少なくとも１つの有機可塑剤：該有機可塑剤は少なくとも１つのエーテル基および／または１つのエステル基および／または１つのエポキシ基を保持する極性有機可塑剤である；
を含有する予備活性化ペーストの形態にある流動学的添加剤であって、最終予備活性化ペーストの最大押込値が、標準規格ＡＳＴＭ Ｄ２１７に従って測定して１５ｍｍ未満である、添加剤。
【請求項２】
予備活性化ペーストの形態にある流動学的添加剤の動的弾性率Ｇ'が、混合物(Ａ)＋(Ｂ)で測定して、温度２３℃および周波数１Ｈｚにおいて、１０4Ｐａ以上、好ましくは８×１０4Ｐａ以上、より好ましくは５×１０5Ｐａ以上である請求項１に記載の添加剤。
【請求項３】
可塑剤が少なくとも１つのエーテル基を保持し、それが、エチレンオキシドおよび／またはプロピレンオキシドのホモポリマーおよび／またはコポリマーであるポリエーテルおよび／または該ポリエーテルのブレンドおよび／またはこれらの誘導体から選択され、該誘導体が、特に、Ｃ1〜Ｃ4アルコキシ基またはＣ2〜Ｃ4エステル基によって鎖末端がブロックされたポリエーテルからなり、該ポリエーテルが、１５０〜６０００の範囲内の重量平均分子量Ｍｗを有する請求項１または２に記載の添加剤。
【請求項４】
可塑剤が、少なくとも１つのＣ6〜Ｃ10芳香族酸エステル基を保持し、モノアルキルおよび／またはジアルキルフタレートから選択される請求項１または２に記載の添加剤。
【請求項５】
可塑剤が、少なくとも１つのジアルキルフタレートであり、該ジアルキルのアルキルが同一または異なり、Ｃ7〜Ｃ18アルキルから選択される請求項４に記載の添加剤。
【請求項６】
可塑剤がジイソウンデシルフタレートである請求項５に記載の添加剤。
【請求項７】
脂肪酸ジアミドの重量比が、混合物(Ａ)＋(Ｂ)に対して、１０〜４０％で変化する請求項１〜６のいずれかに記載の添加剤。
【請求項８】
脂肪酸ジアミドが、少なくとも１つのＣ2〜Ｃ12第一ジアミンと少なくとも１つのＣ3〜Ｃ22鎖長のモノカルボン酸の間の重縮合によって得られ、この反応生成物を所望により水素化ヒマシ油で希釈することができ、この場合、ジアミド＋水素化ヒマシ油の合計に対して１０〜１００重量％のレベルまで希釈する請求項１〜７のいずれかに記載の添加剤。
【請求項９】
請求項１〜８のいずれかに記載の添加剤の製造方法であって、以下の工程を含んでなる方法：
(ｉ)温度調節により制御した室温において、均一分散物が得られるまで、粉末形態のジアミドを可塑剤中に徐々に分散させ、ここで、該ジアミドおよび該可塑剤は請求項１〜８のいずれかに規定した通りであり、
(ii)工程(ｉ)で得られた均一分散物を、１〜１００時間にわたり、５０〜１２０℃の範囲内の対応温度を有する少なくとも１つの等温で維持する。
【請求項１０】
バインダー、顔料または充填剤に加えて、請求項１〜８のいずれかに規定されるか、あるいは請求項９に記載の方法によって得られる少なくとも１つの添加剤を含有する有機バインダー組成物または顔料濃厚組成物または充填剤組成物。
【請求項１１】
添加剤が、組成物の全重量に対して、１〜４０％に変化する重量比で存在する請求項１０に記載の組成物。
【請求項１２】
ジアミドが、組成物の全重量に対して０.１〜１６％に変化する重量比で、乾燥活性物質として存在する請求項１０または１１に記載の組成物。
【請求項１３】
被覆、シーラント、グルー、接着剤、目止剤、成形または化粧品組成物である請求項１０〜１２のいずれかに記載の有機バインダー組成物。
【請求項１４】
有機バインダーが、少なくとも１つのエポキシ／アミン反応系、不飽和ポリエステル、ビニルエステル、エポキシ化樹脂、反応性シリコーン樹脂、ポリエステルもしくはポリアミドによってグラフト化されたアルキドまたはジ尿素／ジウレタンによって修飾されたアルキドまたは非グラフト化アルキド、ポリウレタンまたはシリコーン、架橋性２成分ポリウレタン、ポリシロキサン、ポリスルフィドポリマー、反応性アクリルポリマー、(メタ)アクリレート多官能性オリゴマーまたはアクリル化アクリルオリゴマーまたはアリル多官能性オリゴマー、ブチルゴム、ポリクロロプレンまたはＳＢＲ型エラストマー、またはシリル化プレポリマーもしくはポリマー、好ましくはシリル化ポリエーテルまたはシリル化ポリウレタン、または-ＯＨもしくは-ＣＯＯＨ官能基を含むシリル化ポリエーテル-ウレタンから選択される請求項１０〜１３のいずれかに記載の有機バインダー組成物。
【請求項１５】
ポリエーテル-シランまたはポリウレタン-シラン組成物に基づき、自己架橋性であるシーラント、グルー、接着剤または目止剤組成物である請求項１３または１４に記載の有機バインダー組成物。
【請求項１６】
請求項１０〜１５のいずれかに記載の組成物の製造方法であって、以下の工程を含んでなる方法：
(ｉ)請求項１〜８のいずれかに規定されるか、あるいは請求項９に規定される方法によって得られる添加剤を、請求項１０〜１５のいずれかに規定される組成物に添加し、
(ii)この混合物を、この段階でいずれの活性化処理の適用をも必要とすることなく、撹拌機および／または遊星形ミキサーおよび／または高速分散機で均一化する。
【請求項１７】
請求項１６に記載の組成物の製造方法であって、以下の予備工程を含んでなる方法：
(ｉ)請求項１〜８のいずれかに規定される添加剤を、請求項９に規定される製造方法に従って製造し、
(ii)工程(ｉ)で得られた添加剤を、請求項１０〜１５のいずれかに規定される組成物に添加し、
(iii)この混合物を、この段階でいずれの活性化処理の適用をも必要とすることなく、撹拌機および／または遊星形ミキサーおよび／または高速分散機で均一化する。
【請求項１８】
請求項１〜８のいずれかに規定されるか、あるいは請求項９に規定される方法によって得られる少なくとも１つの添加剤、あるいは、請求項１０〜１５のいずれかに規定されるか、あるいは請求項１６または１７に規定される方法によって得られる組成物の使用であって、現場活性化を必要としない、最終配合物への単純な添加および該配合物中での単純な均一化による使用。
【請求項１９】
請求項１〜８に規定される少なくとも１つの添加剤から得られるか、あるいは、請求項１８に規定される使用によって得られるか、請求項９に規定される方法によって得られる添加剤から得られるか、あるいは、請求項１０〜１５のいずれかに規定される組成物または請求項１６または１７に規定される方法によって得られる組成物から得られる、ペイント、またはワニス、またはインク、またはゲルコート、またはプラスチゾル(ＰＶＣに基づく)、またはシーラント、またはグルー、または接着剤、または目止剤、または複合体、または成形品、またはＳＭＣ／ＢＭＣラミネート、または化粧品製品から選択される被覆剤。
【手続補正２】
【補正対象書類名】明細書
【補正対象項目名】００１０
【補正方法】変更
【補正の内容】
【００１０】
より具体的には、先行技術に対する一般的な技術的課題の解決に関連した利点は、次の通りである：
- 低い揮発性有機化合物(ＶＯＣ)の放出および低い燃焼または爆発の危険性、
- 末端使用者が粉砕(ミクロ化)粉末を取扱うこと、即ち、最終組成物の製造場所および雰囲気においてほこりの形成を防止することがないこと、従って、ほこり吸入の危険性のゆえの換気の必要性がないこと、
- 最終配合物における溶媒の不存在下での取扱いが可能であること、即ち、添加剤を溶媒ベースの適用組成物および溶媒不含の組成物の両方において使用しうること、
- 使用および取扱いの柔軟性、即ち、予備活性化ペーストは、組成物中に、製造の開始時に充填剤として同時に、または加工の最後に分散させるのが容易であるが、先行技術に従ってヒマシ油またはポリアミドもしくはジアミド型の粉末から得られる流動学的特性と少なくとも等価の流動学的特性を保持していること、
- 最後に特に、活性化段階を必要としないこと、即ち、本発明の添加剤の加工は、加熱、高剪断、活性化時間のいずれをも必要としないこと、これは、以下の点での節約を可能にする：
・製造時間の点、これは、最終組成物の製造中に加熱段階がないこと、および冷却段階が短縮されること、さらには避けられることによる、
・エネルギーの点、これは、加熱および冷却段階がないことによる、
・末端使用者の生産性の点、
・最終末端使用性能の再現性および信頼性の点。
【手続補正３】
【補正対象書類名】明細書
【補正対象項目名】００４９
【補正方法】変更
【補正の内容】
【００４９】
最後に、本発明の最後の対象は、本発明の少なくとも１つの流動学的添加剤の使用または本発明の組成物の使用またはそれぞれの製造方法の使用によって得られる完成品、例えば、ペイント、またはワニス、またはインク、または着色もしくは透明(非着色)ゲルコート、またはプラスチゾル(ＰＶＣに基づく)、またはシーラント、またはグルー、または接着剤、または目止剤(シール)、または複合体、または成形品、またはＳＭＣ／ＢＭＣラミネート(成形組成物から得られる)、または化粧品製品、例えば爪ワニスから選択される被覆剤に関する。
本明細書の当初の開示は、少なくとも下記の態様を包含する。
［１］(Ａ)粉末形態で導入される少なくとも１つの脂肪酸ジアミド：該粉末は該ジアミドに加えて水素化ヒマシ油を所望により含有することができる；
(Ｂ)室温で液体である少なくとも１つの有機可塑剤；
を含有する予備活性化ペーストの形態にある流動学的添加剤。
［２］予備活性化ペーストの形態にある流動学的添加剤の動的弾性率Ｇ'が、混合物(Ａ)＋(Ｂ)で測定して、温度２３℃および周波数１Ｈｚにおいて、１０4Ｐａ以上、好ましくは８×１０4Ｐａ以上、より好ましくは５×１０5Ｐａ以上である前記［１］に記載の添加剤。
［３］可塑剤が、少なくとも１つのエーテル基および／または１つのエステル基および／または１つのエポキシ基を保持する極性有機可塑剤である前記［１］または［２］に記載の添加剤。
［４］可塑剤が少なくとも１つのエーテル基を保持し、それが、エチレンオキシドおよび／またはプロピレンオキシドのホモポリマーおよび／またはコポリマーであるポリエーテルおよび／または該ポリエーテルのブレンドおよび／またはこれらの誘導体から選択され、該誘導体が、特に、Ｃ1〜Ｃ4アルコキシ基またはＣ2〜Ｃ4エステル基によって鎖末端がブロックされたポリエーテルからなり、該ポリエーテルが、１５０〜６０００の範囲内の重量平均分子量Ｍｗを有する前記［３］に記載の添加剤。
［５］可塑剤が少なくとも１つのエステル基を保持し、それが、所望によりアルコキシル化されたＣ4〜Ｃ21アルコール、ならびに
- Ｃ6〜Ｃ10の範囲内の鎖長を有する芳香族酸および／またはＣ4〜Ｃ18の範囲内の鎖長を有する脂肪族酸から選択される有機酸、あるいは
- 無機酸、
から選択される１〜４の範囲内の官能価を有する一酸または多酸、
から得られるモノエステルおよび／またはポリエステルから選択される前記［３］に記載の添加剤。
［６］モノエステルおよび／またはポリエステルが、
- フタル酸およびトリメリット酸のエステルおよびこれらのそれぞれの異性体から選択される芳香族酸のエステル、
- アジピン酸、クエン酸、セバシン酸およびアゼライン酸のエステルから選択される脂肪族酸のエステル、ならびに
- スルホン酸、硫酸、スルフィン酸、リン酸、ホスホン酸およびホスフィン酸のエステルから選択される無機酸のエステル、
である前記［５］に記載の添加剤。
［７］可塑剤が少なくとも１つのエポキシ基を保持し、脂肪酸に基づくエポキシ化油から選択される前記［３］に記載の添加剤。
［８］可塑剤が、分子量Ｍｗ＜１５０を有するアルコールから、あるいは、極性非プロトン性溶媒：Ｎ-メチルピロリドン、Ｎ-エチルピロリドン、Ｎ-ブチルピロリドン、アセトニトリル、Ｎ,Ｎ-ジメチルホルムアミド、Ｎ,Ｎ-ジメチルアセトアミド、ジメチルスルホキシド、Ｎ,Ｎ,Ｎ',Ｎ'-テトラメチル尿素、ヘキサメチルホスホルアミド、ヘキサメチルホスホルトリアミドまたはプロピレンカーボネートから選択される他の化合物の不存在下に存在する前記［１］〜［７］のいずれかに記載の添加剤。
［９］可塑剤が、１０００〜３０００の範囲内の重量平均分子量Ｍｗを有するプロピレンオキシドのホモポリマーであるポリエーテル、および／またはこれらの誘導体から選択される前記［４］に記載の添加剤。
［１０］可塑剤が、少なくとも１つのＣ6〜Ｃ10芳香族酸エステル基を保持し、モノアルキルおよび／またはジアルキルフタレートから選択される前記［６］に記載の添加剤。
［１１］可塑剤が、少なくとも１つのジアルキルフタレートであり、該ジアルキルのアルキルが同一または異なり、Ｃ7〜Ｃ18アルキルから選択される前記［１０］に記載の添加剤。
［１２］可塑剤がジイソウンデシルフタレートである前記［１１］に記載の添加剤。
［１３］可塑剤が、Ｃ10〜Ｃ21アルキルスルホネートから選択されるスルホン酸エステルである前記［６］に記載の添加剤。
［１４］最終予備活性化ペーストの最大押込値が、標準規格ＡＳＴＭ Ｄ２１７に従って測定して１５ｍｍ未満である前記［１］〜［１３］のいずれかに記載の添加剤。
［１５］押込値が１０ｍｍ未満である前記［１４］に記載の添加剤。
［１６］押込値が５ｍｍ未満である前記［１４］または［１５］に記載の添加剤。
［１７］脂肪酸ジアミドの重量比が、混合物(Ａ)＋(Ｂ)に対して、１０〜４０％で変化する前記［１］〜［１６］のいずれかに記載の添加剤。
［１８］脂肪酸ジアミドが、少なくとも１つのＣ2〜Ｃ12第一ジアミンと少なくとも１つのＣ3〜Ｃ22鎖長のモノカルボン酸の間の重縮合によって得られ、この反応生成物を所望により水素化ヒマシ油で希釈することができ、この場合、ジアミド＋水素化ヒマシ油の合計に対して１０〜１００重量％のレベルまで希釈する前記［１］〜［１７］のいずれかに記載の添加剤。
［１９］以下の工程を含んでなる方法によって得られる前記［１］に記載の添加剤：
(ｉ)温度調節により制御した室温において、均一分散物が得られるまで、粉末形態のジアミドを可塑剤中に徐々に分散させ、
(ii)工程(ｉ)で得られた均一分散物を、１〜１００時間にわたり、５０〜１２０℃の範囲内の対応温度を有する少なくとも１つの等温で維持する。
［２０］前記［１］〜［１９］のいずれかに記載の添加剤の製造方法であって、以下の工程を含んでなる方法：
(ｉ)温度調節により制御した室温において、均一分散物が得られるまで、粉末形態のジアミドを可塑剤中に徐々に分散させ、ここで、該ジアミドおよび該可塑剤は前記［１］〜［１９］のいずれかに規定した通りであり、
(ii)工程(ｉ)で得られた均一分散物を、１〜１００時間にわたり、５０〜１２０℃の範囲内の対応温度を有する少なくとも１つの等温で維持する。
［２１］工程(ii)の終了時に、得られたペーストの最大押込値が、標準規格ＡＳＴＭ Ｄ２１７に従って測定して１５ｍｍ未満である前記［２０］に記載の方法。
［２２］バインダー、顔料または充填剤に加えて、前記［１］〜［１９］のいずれかに規定されるか、あるいは前記［２０］または［２１］に記載の方法によって得られる少なくとも１つの添加剤を含有する有機バインダー組成物または顔料濃厚組成物または充填剤組成物。
［２３］添加剤が、組成物の全重量に対して、１〜４０％に変化する重量比で存在する前記［２２］に記載の組成物。
［２４］添加剤が、組成物の全重量に対して、１５〜３０％に変化する重量比で存在する前記［２２］に記載の組成物。
［２５］添加剤が、組成物の全重量に対して、１０〜２０％に変化する重量比で存在する前記［２２］に記載の組成物。
［２６］ジアミドが、組成物の全重量に対して０.１〜１６％に変化する重量比で、乾燥活性物質として存在する前記［２２］〜［２５］のいずれかに記載の組成物。
［２７］被覆、シーラント、グルー、接着剤、目止剤、成形または化粧品組成物である前記［２２］〜［２６］のいずれかに記載の有機バインダー組成物。
［２８］室温で自己架橋性の組成物を含む架橋性組成物、または非架橋性組成物である前記［２７］に記載の有機バインダー組成物。
［２９］１成分または２成分の架橋性組成物である前記［２８］に記載の有機バインダー組成物。
［３０］有機バインダーが、少なくとも１つのエポキシ／アミン反応系、不飽和ポリエステル、ビニルエステル、エポキシ化樹脂、反応性シリコーン樹脂、ポリエステルもしくはポリアミドによってグラフト化されたアルキドまたはジ尿素／ジウレタンによって修飾されたアルキドまたは非グラフト化アルキド、ポリウレタンまたはシリコーン、架橋性２成分ポリウレタン、ポリシロキサン、ポリスルフィドポリマー、反応性アクリルポリマー、(メタ)アクリレート多官能性オリゴマーまたはアクリル化アクリルオリゴマーまたはアリル多官能性オリゴマー、ブチルゴム、ポリクロロプレンまたはＳＢＲ型エラストマー、またはシリル化プレポリマーもしくはポリマー、好ましくはシリル化ポリエーテルまたはシリル化ポリウレタン、または-ＯＨもしくは-ＣＯＯＨ官能基を含むシリル化ポリエーテル-ウレタンから選択される前記［２２］〜［２９］のいずれかに記載の有機バインダー組成物。
［３１］ポリエーテル-シランまたはポリウレタン-シラン組成物に基づき、自己架橋性であるシーラント、グルー、接着剤または目止剤組成物である前記［２７］〜［３０］のいずれかに記載の有機バインダー組成物。
［３２］種々の基材の保護および／または装飾および／または表面処理のための被覆組成物である前記［２７］〜［３０］のいずれかに記載の有機バインダー組成物。
［３３］被覆組成物が、ペイント、ワニス、ゲルコート、インクまたはプラスチゾル(ＰＶＣに基づく)の組成物である前記［３２］に記載の有機バインダー組成物。
［３４］前記［２２］〜［３３］のいずれかに記載の組成物の製造方法であって、以下の工程を含んでなる方法：
(ｉ) 前記［１］〜［１９］のいずれかに規定されるか、あるいは前記［２０］または［２１］に規定される方法によって得られる添加剤を、前記［２２］〜［３３］のいずれかに規定される組成物に添加し、
(ii)この混合物を、この段階でいずれの活性化処理の適用をも必要とすることなく、撹拌機および／または遊星形ミキサーおよび／または高速分散機で均一化する。
［３５］前記［３４］に記載の組成物の製造方法であって、以下の予備工程を含んでなる方法：
(ｉ)前記［１］〜［１９］のいずれかに規定される添加剤を、前記［２０］または［２１］のいずれかに規定される製造方法に従って製造し、
(ii)工程(ｉ)で得られた添加剤を、前記［２２］〜［３３］のいずれかに規定される組成物に添加し、
(iii)この混合物を、この段階でいずれの活性化処理の適用をも必要とすることなく、撹拌機および／または遊星形ミキサーおよび／または高速分散機で均一化する。
［３６］前記［１］〜［１９］のいずれかに規定されるか、あるいは前記［２０］または［２１］に規定される方法によって得られる少なくとも１つの添加剤、あるいは、前記［２２］〜［３３］のいずれかに規定されるか、あるいは前記［３４］または［３５］に規定される方法によって得られる組成物の使用であって、現場活性化を必要としない、最終配合物への単純な添加および該配合物中での単純な均一化による使用。
［３７］前記［１］〜［１９］のいずれかに規定されるか、あるいは前記［２０］または［２１］に規定される方法によって得られる少なくとも１つの添加剤、あるいは、前記［２２］〜［３３］のいずれかに規定されるか、あるいは前記［３４］または［３５］に規定される方法によって得られる組成物の使用であって、被覆用途またはシーラント、グルー、接着剤、目止剤もしくは成形用途における、あるいは、化粧品用途における使用。
［３８］前記［１］または［２］に規定される少なくとも１つの添加剤から得られるか、あるいは、前記［１５］または［１６］に規定される方法によって得られる添加剤から得られるか、あるいは、前記［１７］に規定される組成物または前記［２４］に規定される方法によって得られる組成物から得られる、ペイント、またはワニス、またはインク、またはゲルコート、またはプラスチゾル(ＰＶＣに基づく)、またはシーラント、またはグルー、または接着剤、または目止剤、または複合体、または成形品、またはＳＭＣ／ＢＭＣラミネート、または化粧品製品から選択される被覆剤。